(57)【要約】  本発明は，光ディスクドライブに同一の光ディスクがローディングされたかどうかを決定する方法に関する。この方法は，ディスク排出コマンドからもたらされたディスク排出動作とディスク挿入コマンドからもたらされたディスク挿入動作との間の時間間隔を測定するステップを有する。この方法は他に前記時間間隔を事前に規定された値と比較するステップを有する。前記時間間隔が前記事前に規定された値よりも小さい場合は，当該ディスクは前記光ディスクドライブ中に依然としてローディングされていることになる。
2009527065.tif 000002
【特許請求の範囲】
【請求項１】
光ディスクの排出コマンドからもたらされる光ディスクの排出動作と光ディスクの挿入コマンドからもたらされる光ディスクの挿入動作との間の時間間隔を測定するステップ，及び前記時間間隔を事前に規定した値と比較するステップを有し，前記時間間隔が前記事前に規定された値よりも小さい場合，前記光ディスクは前記光ディスクドライブ中に依然として在ることを意味する，光ディスクドライブ中に同一の光ディスクがローディングされているかどうかを決定するための方法。
【請求項２】
前記光ディスクの挿入動作が，前記光ディスクの挿入コマンドである，請求項1に記載の方法。
【請求項３】
前記光ディスクの挿入動作が，前記光ディスクの挿入の開始である，請求項1に記載の方法。
【請求項４】
前記光ディスクの挿入動作が，前記光ディスクの挿入の完了である，請求項1に記載の方法。
【請求項５】
前記光ディスクの排出動作が，前記光ディスクの排出コマンドである，請求項1に記載の方法。
【請求項６】
前記光ディスクの排出動作が，前記光ディスクの排出の開始である，請求項1に記載の方法。
【請求項７】
前記光ディスクの排出動作が，前記光ディスクの排出の完了である，請求項1に記載の方法。
【請求項８】
光ディスクの排出コマンドからもたらされる光ディスクの排出動作と光ディスクの挿入コマンドからもたらされる光ディスクの挿入動作との間の時間間隔を測定する手段，及び前記時間間隔を事前に規定した値と比較する手段を有し，前記時間間隔が前記事前に規定された値よりも小さい場合，前記光ディスクは前記光ディスクドライブ中に依然として在ることを意味する，光ディスクドライブ中に同一の光ディスクがローディングされているかどうかを決定するための手段を有する光ディスクドライブ。
【請求項９】
請求項1に記載の方法のステップを実行するためのコンピュータプログラム。
【発明の詳細な説明】
【技術分野】
【０００１】
本発明は，光ディスクドライブに同一の光ディスクがローディングされているかどうかを決定する方法に関する。
【背景技術】
【０００２】
トレイか何かの手段によって光ディスクが光ディスクドライブにローディングされたとき，実行されねばならない第1のステップは，光ディスクドライブ中の光ディスクを認識することである。
【０００３】
光ディスクの認識手順は，即ち，基板の厚さの測定によるディスク認識を開始するためのレーザ（CDか，DVDか，又はBluRayレーザ）の選択と，回転していないディスクの反射の測定と，ディスク認識中及び初期化中の球面収差の制御と，プリセットと，フォーカスオフセット，ラヂアルチルト，タンジェンシャルチルト及び球面収差のような様々な項目の校正とから成る動作を含む。
【発明の開示】
【発明が解決しようとする課題】
【０００４】
全てのこれらの動作を実行するには，実際には顕著な量の時間を要する。タイミングに関する性能は光ディスクドライブの重要な特性であるので，上で説明した動作に要する時間及び/又は動作の数は，最小に保たれねばならない。
【０００５】
他方，利用者が排出コマンドを与えたにも拘わらず，光ディスクを交換していない光ディスクドライブにおいて，同一の光ディスクが依然として有るような状況においては，時間が節約され得ることが明らかである。
【０００６】
実にこのような状況では，正しいレーザを選定するための基板厚の測定，球面収差の調節，及びラジアルチルトの校正のような幾つかの動作が省略されることが可能である。
【０００７】
従って，同一の光ディスクが依然として光ディスクドライブ中に有るかどうかを決定することは，光ディスクドライブのタイミングに関する性能を評価する際に，上位の重要度であることが容易に理解され得る。
【０００８】
その意味では，米国特許公報5,974,016はトレイが閉じられる前に遅れが設定されている自動閉トレイを備えた光ディスクドライブを開示しており，前記遅れは，トレイ中に旧い光ディスク若しくは新しい光ディスクが有るか，又はトレイは空であるかに依存する。この目的のために，トレイ中のディスク置き場の複数のセンサが，ディスク置き場内のディスクの存在を検知し，及びディスクが正しく位置さているかどうかを検知している。
【０００９】
しかしながら，同一の光ディスクが依然として光ディスクドライブ中に有るかを決定するために特別に専用されているセンサを持つ光ディスクドライブを供することは，一般には節約されることが望まれる追加のコストをもたらし，技術的な複雑さをもたらすことが理解されよう。
【課題を解決するための手段】
【００１０】
上で説明した既知の解決策よりも実行が簡単な，同一の光ディスクが光ディスクドライブにローディングされているかどうかを決定する方法を提供することが，本発明の目的である。
【００１１】
この目的のために本発明は，光ディスク排出コマンドからもたらされた光ディスク排出動作と光ディスク挿入コマンドからもたらされた光ディスク挿入動作との間の時間間隔を測定するステップ，及び前記時間間隔を事前に規定された値と比較するステップを有し，前記時間間隔が前記事前に規定された値よりも小さい場合は，当該ディスクは前記光ディスクドライブ中に依然としてローディングされていることを意味する，同一の光ディスクが光ディスクドライブにローディングされているかどうかを決定する方法を提案している。
【００１２】
前記事前に規定された値は，利用者が，光ディスクドライブ中の光ディスクを交換するのに必要な時間に相当している。これゆえ，前記時間間隔が前記事前に規定された値よりも実際に小さい場合は，利用者は光ディスクを交換するのに十分な時間がなかったと仮定出来，同一の光ディスクが依然としてローディングされていると仮定出来る。
【００１３】
従って，本発明による方法の長所に従って，同一の光ディスクがローディングされていると決定されるので，光ディスクドライブは，正しいレーザの選定，球面収差の測定，ラジアルチルトの校正のような同一光ディスクに対して従前に実行された光ディスクの認識動作でもたらされた幾つかの光ディスクの設定を再利用出来る。
【００１４】
本発明の様々な実施例によれば，光ディスクの挿入動作が，光ディスク挿入コマンド，又は光ディスク挿入開始，又は光ディスク挿入完了であり，光ディスクの排出動作が，光ディスク排出コマンド，又は光ディスク排出開始，又は光ディスク排出完了である。
【００１５】
本発明は，光ディスク排出コマンドからもたらされた光ディスク排出動作と光ディスク挿入コマンドからもたらされた光ディスク挿入動作との間の時間間隔を測定するための手段，及び前記時間間隔を事前に規定された値と比較するための手段を有し，前記時間間隔が前記事前に規定された値よりも小さい場合は，前記ディスクは前記光ディスクドライブ中に依然としてローディングされていることを意味する，同一の光ディスクが前記光ディスクドライブにローディングされているかどうかを決定するための手段を有する光ディスクドライブにも関する。
【００１６】
本発明は，本発明に従った方法のステップを実行するためのコンピュータプログラムにも関する。
【００１７】
加えて，本発明は，可動のトレイがあろうとなかろうと，全ての光ディスクドライブで使用出来ることに留意されたい。
【００１８】
本発明のこれらの態様及び他の態様は，これ以降で記述されている実施例を参照して明らかになり，説明されるであろう。
【００１９】
本発明はこれから，添付の図面を参照した例の態様にて，より詳細が説明されよう。
【発明を実施するための最良の形態】
【００２０】
図1に示されるように，光ディスクドライブ中の光ディスクの排出は，時刻Teject_commandにて光ディスクドライブの利用者によって与えられる排出_コマンドと共に開始する。コマンドと同時に，又は若干の遅れの後に，光ディスクは時刻Teject_startにて，排出動作が始まる。
【００２１】
光ディスクの排出は，時刻Teject_finishedで終わる。排出フェイズの継続時間は，Teject_finished−Teject_startに等しく，光ディスクドライブの製造者に依存する。
【００２２】
光ディスクドライブは，光ディスクを光ディスクドライブから取り出した後，又は取り出さずに，利用者が時刻Tinsert_commandにて挿入_コマンドを与えるまで排出位置に留まる。挿入動作は，Tinsert_commandの後の若干の遅れ，又は遅れ無しで時刻Tinsert_startで開始し，Tinsert_finishedで終わり，従って，光ディスクドライブの製造者に依存した時間間隔Tinsert_finished−Tinsert_startの間，継続する。
【００２３】
時刻Tinsert-commandで利用者によって挿入_コマンドが与えられたとき，同一の光ディスクが依然として光ディスクドライブ中に有るかどうかの判断において，排出_コマンドからもたらされた動作が生じた若干後に，即ち，事前に規定した値よりも小さい時間間隔の後に，前記挿入_コマンドが与えられた場合，本発明は，同一の光ディスクが依然として光ディスクドライブの中に有ると明言する。
【００２４】
実際には，関連した時間間隔が，排出が完了した後に計算されるTinsert_command−Teject_finihsedとして規定されることが出来る。一般に，この時間間隔が約0.5秒より短い場合は，上で説明されたような著しく簡略化された光ディスクの認識動作についての全ての好都合な帰結と共に，同一の光ディスクが依然として光ディスクドライブ中に在ると，又は同一の光ディスクが再度挿入されていると仮定することが出来る。
【００２５】
考慮されるべき関連の時間間隔は，他にも規定されることが可能である。例えば，排出が完了する前に与えられた挿入_コマンドを考慮することを可能にするTeject_command又はTeject_startの何れかを，時刻の原点として用いることが可能である。同様に，前記関連した時間間隔の終了地点をTinsert_start又はTinsert_finishedとすることが可能である。当然ながらこれらの事例において，事前に規定された基準値は，それぞれに従って計算されねばならない。
【図面の簡単な説明】
【００２６】
【図１】光ディスクドライブ中の光ディスクの動きの種々様々な段階を示しているクロノグラムである。
【図１】
2009527065.tif 000003
【国際調査報告】
2009527065.tif 000004
2009527065.tif 000005